(57)【要約】  本発明の一態様によるプーリストッパは、棒形状の上部クランプおよび下部クランプを含むクランプ部と、前記クランプ部の両端にそれぞれ位置して前記上部クランプと前記下部クランプとを結合させる締め部とを含み、前記締め部と前記クランプ部との結合はクリップタイプ方式であり、前記締め部の結合により前記上部クランプと前記下部クランプとが並んで固定結合され、前記上部クランプと前記下部クランプとの間に配置されるベルトの移動を停止させることができる。
2021509460.tif 000002
【特許請求の範囲】
【請求項１】
棒形状の上部クランプおよび下部クランプを含むクランプ部と、
前記クランプ部の両端にそれぞれ位置して前記上部クランプと前記下部クランプとを結合させる締め部と、
を含み、
前記締め部と前記クランプ部との結合は、クリップタイプ方式であり、
前記締め部の結合により前記上部クランプと前記下部クランプとが並んで固定結合され、前記上部クランプと前記下部クランプとの間に配置されるベルトの移動を停止させるプーリストッパ。
【請求項２】
前記下部クランプには、
前記締め部の一端がピン結合方式で結合されるピン結合部を含み、前記締め部の他端は、前記ピン結合部の固定軸を中心に回転可能な構造である、請求項１に記載のプーリストッパ。
【請求項３】
前記上部クランプと前記下部クランプのそれぞれの側面には、
前記締め部の他端が回転する過程で、前記締め部が移動する溝が形成された、請求項２に記載のプーリストッパ。
【請求項４】
前記締め部の他端は、ボルト−ナット結合方式であり、前記締め部のナット回転により、前記締め部の他端が前記上部クランプに結合され、前記上部クランプと前記下部クランプとが並んで配置される間の間隔を調整する、請求項２に記載のプーリストッパ。
【請求項５】
前記締め部のナットと前記上部クランプが当接する部分にはワッシャーをさらに含む、請求項４に記載のプーリストッパ。
【請求項６】
前記ワッシャーの材質は青銅である、請求項５に記載のプーリストッパ。
【請求項７】
前記締め部のボルト材質は、モノマーキャストナイロン、ＰＢＣ、青銅である、請求項４から６のいずれか一項に記載のプーリストッパ。
【請求項８】
前記締め部は、
前記クランプ部の一端に位置する第１締め部と、
前記クランプ部の他端に前記第１締め部と並列に並んで配置される第２締め部と、
を含む、請求項１から７のいずれか一項に記載のプーリストッパ。
【請求項９】
前記第１締め部および前記第２締め部のうちの少なくとも一方は、クリップタイプ方式である、請求項８に記載のプーリストッパ。
【請求項１０】
前記クランプ部の材質は、モノマーキャストナイロンである、請求項１から９のいずれか一項に記載のプーリストッパ。
【請求項１１】
前記クランプ部の材質は、ポリオキシメチレンである、請求項１から１０のいずれか一項に記載のプーリストッパ。
【請求項１２】
請求項１から１１のいずれか一項に記載のプーリストッパを含む、プーリ装置。
【発明の詳細な説明】
【技術分野】
【０００１】
［関連出願との相互引用］
本出願は、２０１８年１１月８日付韓国特許出願第１０−２０１８−０１３６６００号に基づいた優先権の利益を主張し、当該韓国特許出願の文献に開示されたすべての内容は本明細書の一部として含まれる。
【０００２】
本発明は、プーリストッパおよびそれを含むプーリ装置に関し、ベルトの移動を停止させるプーリストッパおよびそれを含むプーリ装置に関する。
【背景技術】
【０００３】
Ｖベルトは布とゴムで作った断面がＶ字形のベルトとして、Ｖ字形のプーリ（ｐｕｌｌｅｙ）にかけて用いられる。現在、Ｖベルトの交換またはモータの作業後、機器が正常に回転するかどうかを確認する方法として、プーリ（ｐｕｌｌｅｙ）またはＶベルトを手で握って回転させるなどＶベルトを手動で回転（ｂａｒｒｉｎｇ）させる作業を行っている。このように、手作業により行われる際、重量物である設備の慣性によって使用者の指などの身体がプーリ（ｐｕｌｌｅｙ）とＶベルトとの間に巻き込まれて狭窄する事故がたびたび発生する問題がある。
【０００４】
一部のプーリ（ｐｕｌｌｅｙ）に対しては、手動回転（ｂａｒｒｉｎｇ）装備を内製（in-house built）して使用中ではあるが、プーリ（ｐｕｌｌｅｙ）の形態、大きさが非常に多様であり、汎用に用いられる装備がないのが現状であり、プーリ（ｐｕｌｌｅｙ）の固定が必要な特定作業の場合、シャフト（ｓｈａｆｔ）またはプーリ（ｐｕｌｌｅｙ）などをパイプレンチなどを用いて固定する方法を用いられている。ただし、この場合、シャフト（ｓｈａｆｔ）のコーティングが損傷するのみならず、プーリ（ｐｕｌｌｅｙ）およびＶベルトが共に損傷する問題が発生したりもする。
【０００５】
本発明では前記のような問題を改善するためのものとして、プーリ（ｐｕｌｌｅｙ）およびＶベルトへの損傷を最小化し、多様な大きさおよび形態のプーリ（ｐｕｌｌｅｙ）を固定できる汎用性のある装備に対する開発が必要である。
【発明の概要】
【発明が解決しようとする課題】
【０００６】
本発明の一態様は従来に提案された方法の前記のような問題を解決するために提案されたものであって、多様な形態のプーリ（ｐｕｌｌｅｙ）、Ｖベルトに用いられる汎用性が高いストッパを提供し、締結過程を単純化してストッパの締結作業を容易にするプーリストッパ、およびそれを含むプーリ装置を提供することをその目的とする。
【０００７】
ただし、本発明の一態様が解決しようとする課題は、上述した課題に限定されず、本発明に含まれた技術的思想の範囲で多様に拡張され得る。
【課題を解決するための手段】
【０００８】
上記した目的を達成するための本発明の一態様によるプーリストッパは、棒形状の上部クランプおよび下部クランプを含むクランプ部と、前記クランプ部の両端にそれぞれ位置して前記上部クランプと前記下部クランプを結合させる締め部とを含み、前記締め部と前記クランプ部の結合はクリップタイプ方式であり、前記締め部の結合により前記上部クランプと前記下部クランプが並んで固定結合され、前記上部クランプと前記下部クランプとの間に配置されるベルトの移動を停止させ得る。
【０００９】
前記下部クランプには、前記締め部の一端がピン結合方式で結合されるピン結合部を含み、前記締め部の他端は、前記ピン結合部の固定軸を中心に回転可能な構造であり得る。
【００１０】
前記上部クランプと前記下部クランプのそれぞれの側面には、前記締め部の他端が回転する過程で、前記締め部が移動する溝が形成され得る。
【００１１】
前記締め部の他端は、ボルト−ナット結合方式で、前記締め部のナット回転により、前記締め部の他端が前記上部クランプに結合され、前記上部クランプと前記下部クランプが並んで配置される間の間隔を調整し得る。
【００１２】
前記締め部のナットと前記上部クランプが当接する部分にはワッシャー（ｗａｓｈｅｒ）をさらに含み得る。
【００１３】
前記ワッシャー（ｗａｓｈｅｒ）の材質は青銅であり得る。
【００１４】
前記締め部のボルト材質は、Ｍ／Ｃナイロン（モノマーキャストナイロン（Ｍｏｎｏｍｅｒ  Ｃａｓｔｉｎｇ  Ｎｙｌｏｎ））、ＰＢＣ、青銅であり得る。
【００１５】
前記締め部は、前記クランプ部の一端に位置する第１締め部、および前記クランプ部の他端に前記第１締め部と並列に並んで配置される第２締め部を含み得る。
【００１６】
前記第１締め部および前記第２締め部のうちの少なくとも一方はクリップタイプ方式であり得る。
【００１７】
前記クランプ部の材質は、Ｍ／Ｃナイロン（モノマーキャストナイロン（Ｍｏｎｏｍｅｒ  Ｃａｓｔｉｎｇ  Ｎｙｌｏｎ））であり得る。
【００１８】
前記クランプ部の材質は、ポリオキシメチレン（ＰＯＭ：Ｐｏｌｙ  Ｏｘｙ  Ｍｅｔｈｙｌｅｎｅ）であり得る。
【００１９】
また、上記した目的を達成するための本発明の他の一態様によるプーリ装置は上述したプーリストッパを含み得る。
【発明の効果】
【００２０】
本発明の一態様によれば、クリップ方式で結合されるプーリストッパを用いて締結過程を単純化してストッパの締結作業を容易にすることができ、特定ベルトに対する専用装置ではないので、多様な大きさのベルトに用いられるようにしてストッパの汎用性を高めることができる。
【図面の簡単な説明】
【００２１】
【図１】本発明の一実施形態によるプーリストッパの正面を示す図である。
【図２】本発明の一実施形態によるプーリストッパの側面を示す図である。
【図３Ａ】本発明の一実施形態によるプーリストッパの結合前の姿を示す図である。
【図３Ｂ】本発明の一実施形態によるプーリストッパの結合後の姿を示す図である。
【図４】本発明の一実施形態によるプーリストッパが結合されたプーリ装置の姿を示す図である。
【発明を実施するための形態】
【００２２】
以下、添付した図面を参照して本発明の様々な実施形態について本発明が属する技術分野における通常の知識を有する者が容易に実施できるように詳細に説明する。本発明は様々な異なる形態で実現することができ、ここで説明する実施形態に限定されない。
【００２３】
本発明を明確に説明するために説明と関係ない部分は省略し、明細書全体にわたって同一又は類似する構成要素に対しては同じ参照符号を付ける。
【００２４】
また、図面に示す各構成の大きさおよび厚さは説明の便宜上任意に示したので、本発明は必ずしも図示したものに限定されない。図面で複数の層および領域を明確に表現するために厚さを拡大して示した。そして、図面において、説明の便宜上、一部の層および領域の厚さを誇張した。
【００２５】
また、層、膜、領域、板などの部分が他の部分「上に」または「の上に」あるという時、これは他の部分の「真上に」ある場合だけでなく、その中間にまた他の部分がある場合も含む。逆にある部分が他の部分の「真上に」あるという時には中間に他の部分が介在しないことを意味する。また、基準になる部分「上に」または「の上に」あるとは、基準になる部分の上または下に位置することであり、必ずしも重力の逆方向に向かって「上に」または「の上に」位置することを意味するものではない。
【００２６】
また、明細書全体において、ある部分がある構成要素を「含む」という時、これは特に反対の意味を示す記載がない限り、他の構成要素を除くものではなく他の構成要素をさらに含むこともできることを意味する。
【００２７】
図１は本発明の一実施形態によるプーリストッパの正面を示す図であり、図２は本発明の一実施形態によるプーリストッパの側面を示す図である。
【００２８】
図１および図２に示すように、本発明の一実施形態によるプーリストッパ１０は、棒形状の上部クランプ１１０および下部クランプ１２０を含むクランプ部１００、およびクランプ部１００の両端にそれぞれ位置して上部クランプ１１０と下部クランプ１２０を結合する締め部２００を含み得る。
【００２９】
締め部２００とクランプ部１００の結合はクリップタイプ方式であって、クリップタイプ方式を用いた締め部２００の移動方式を以下図３で詳しく説明する。まず、図１および図２からわかるように、クリップタイプ方式により、締め部２００の動きを可能にするための構成であり、下部クランプ１２０には、締め部２００の一端がピン結合方式で結合されるピン結合部２５０が含まれ得る。ピン結合部２５０を軸として締め部２００が回転移動する場合、締め部２００が移動するための通路として、上部クランプ１１０と下部クランプ１２０のそれぞれの側面には、締め部２００の他端が回転する過程で、締め部２００が移動する溝１３０が形成され得る。溝１３０は締め部２００のボルト２３０が通過できるほどの間隔であり、ボルト２３０の移動通路の役割と同時にボルト２３０を押さえる役割を同時にすることができる。
【００３０】
図３Ａは本発明の一実施形態によるプーリストッパの結合前の姿を示す図面であり、図３Ｂは本発明の一実施形態によるプーリストッパの結合後の姿を示す図である。
【００３１】
図３Ａおよび図３Ｂからわかるように、締め部２００の他端はピン結合部２５０の固定軸を中心に回転可能な構造であり、上部クランプ１１０の溝１３０に嵌められてから外れる方式で結合され得る。図３Ａは締め部２００が上部クランプ１１０の溝１３０から外れた状態であり、上部クランプ１１０と下部クランプ１２０との間の間隔を広げられる構造であり、広げられた間の空間にベルト２０が移動することを確認することができる。図３Ｂは締め部２００が上部クランプ１１０の溝１３０に嵌められて結合された状態であり、締め部２００の結合により上部クランプ１１０と下部クランプ１２０が狭い間隔を間に置いて並んで固定結合され、上部クランプ１１０と下部クランプ１２０との間に配置されるベルト２０の移動を停止させることを確認することができる。
【００３２】
締め部２００はクランプ部１００の一端に位置する第１締め部２１０、およびクランプ部１００の他端に第１締め部２１０と並列に並んで配置される第２締め部２２０を含み得る。図１ないし図３には第１締め部２１０および第２締め部２２０がいずれもクリップタイプ方式で図示されているが、これに限定されるものではなく、他の実施形態によってはいずれか一つのみをクリップタイプ方式で形成することができる。すなわち、第１締め部２１０および第２締め部２２０のうちの少なくとも一方のみがクリップタイプ方式であり得る。締め部２００の一つのみがクリップタイプ方式である場合、他の一つの締め部２００が結合されるクランプ部１００は溝１３０が形成されていない状態であり、締め部２００がクランプ部１００に固定されるように嵌め込まれている状態であり得る。
【００３３】
締め部２００のボルト２３０の材質は、Ｍ／Ｃナイロン（モノマーキャストナイロン（Ｍｏｎｏｍｅｒ  Ｃａｓｔｉｎｇ  Ｎｙｌｏｎ））、ＰＢＣ、青銅であり得、クランプ部１００の材質は、Ｍ／Ｃナイロン（モノマーキャストナイロン（Ｍｏｎｏｍｅｒ  Ｃａｓｔｉｎｇ  Ｎｙｌｏｎ））であり得るが、これに限定されるものではない。実施形態によってはクランプ部１００の材質はポリオキシメチレン（ＰＯＭ：Ｐｏｌｙ  Ｏｘｙ  Ｍｅｔｈｙｌｅｎｅ）であり得、クランプ部１００との摩擦によって発生するプーリ（ｐｕｌｌｅｙ）、Ｖベルト（ベルト）２０の損傷を防止することができる。
【００３４】
図１ないし図３に示すように、締め部２００の他端はボルト２３０−ナット２４０結合方式であり、締め部２００のナット２４０の回転により、締め部２００の他端が上部クランプ１１０に結合され、上部クランプ１１０と下部クランプ１２０を並んで固定結合させることができる。すなわち、ナット２４０の回転により、上部クランプ１１０と下部クランプ１２０が並んで配置される時、上部クランプ１１０と下部クランプ１２０が配置される間の間隔を調整することができる。このように上部クランプ１１０と下部クランプ１２０の配置間隔を調整することによって、多様な厚さのベルト２０に本発明のプーリストッパ１０を用いてベルト２０の移動を停止させることができる。
【００３５】
また、プーリストッパ１０は、締め部２００のナット２４０と上部クランプ１１０が当接する部分にはワッシャー（ｗａｓｈｅｒ）２６０をさらに含み得る。ボルト２３０とナット２４０を固定させる部分の間に環形のワッシャー２６０を配置させることによって、該当の部分に加えられる圧力を分散させて作業表面を保護するようにし、ワッシャー２６０はボルト２３０、ナット２４０の締結効果を高める役割もする。ワッシャー２６０は青銅材質からなるが、これに限定されるものではない。
【００３６】
図４は本発明の一実施形態によるプーリストッパが結合されたプーリ装置の姿を示す図である。
【００３７】
図４に示すように、本発明の一実施形態によるプーリ装置３０は、棒形状の上部クランプおよび下部クランプを含むクランプ部と、クランプ部の両端にそれぞれ位置して上部クランプと下部クランプを結合させる締め部とを含み、締め部とクランプ部の結合はクリップタイプ方式であり、締め部の結合により上部クランプと下部クランプが並んで固定結合され、上部クランプと下部クランプとの間に配置されるベルト２０の移動を停止させるプーリストッパ１０を含み得る。
【００３８】
上述したように、本発明はプーリストッパとして、従来の汎用性が低いプーリ装置の問題を解決しようとするものであり、多様な形態のプーリ（ｐｕｌｌｅｙ）、Ｖベルトに用いられる汎用性が高いプーリストッパを提供し、クリップタイプ方式を用いて締結過程を単純化することによってプーリストッパの締結作業を容易にする点で意味がある。
【００３９】
以上、本発明の好ましい実施形態について詳細に説明したが、本発明の権利範囲はこれに限定されるものではなく、次の特許請求の範囲で定義している本発明の基本概念を利用した当業者の様々な変形および改良形態も本発明の権利範囲に属する。
【符号の説明】
【００４０】
１０：プーリストッパ
２０：ベルト
３０：プーリ装置
１００：クランプ部
１１０：上部クランプ
１２０：下部クランプ
１３０：溝
２００：締め部
２１０：第１締め部
２２０：第２締め部
２３０：ボルト
２４０：ナット
２５０：ピン結合部
２６０：ワッシャー
【図１】
2021509460.tif 000003
【図２】
2021509460.tif 000004
【図３ａ】
2021509460.tif 000005
【図３ｂ】
2021509460.tif 000006
【図４】
2021509460.tif 000007
【国際調査報告】
2021509460.tif 000008
2021509460.tif 000009
2021509460.tif 000010
2021509460.tif 000011